(57)【要約】      （修正有）【課題】簡易な構成で、所定の相線式の配電部における力率に応じた電圧の位相および電流の位相の関係を容易、迅速かつ確実に示すことができるスケールを提供する。【解決手段】スケールは、第１のディスク１と、第１のディスク１と重なるように配置された第２のディスクと、ピン３とを有し、第１のディスク１および第２のディスクは、ピン３を中心に相対的に回転可能に設置されている。第１のディスク１には、３相３線式の場合の電流ベクトル図形４１、４２と、単相３線式の場合の電流ベクトル図形４３、４４と、力率を示す第１の目盛６とが表示されている。第２のディスクには、３相３線式の場合の電圧ベクトル図形５１、５２と、単相３線式の場合の電圧ベクトル図形５３、５４と、３相３線式用の位相角を示す第２の目盛７と、単相３線式用の位相角を示す第２の目盛８と、第１の目盛６の力率を指し示す指標９とが表示されている。【選択図】図１
0003156901.tif 000002
【実用新案登録請求の範囲】
【請求項１】
互いに重なり、相対的に回転可能に設けられた第１の板部材および第２の板部材を有し、所定の相線式の配電部における力率に応じた電圧の位相および電流の位相の関係を示すスケールであって、
前記第１の板部材には、前記電流のベクトルを示し、該電流の位相角に応じた方向を示す電流ベクトル図形と、前記力率または前記力率に対応する力率角を示す第１の目盛とが表示され、
前記第２の板部材には、前記電圧のベクトルを示し、該電圧の位相角に応じた方向を示す電圧ベクトル図形と、前記電圧ベクトル図形の指し示す位相角が０°となるように設けられた位相角を示す第２の目盛と、前記力率または前記力率に対応する力率角を指し示す指標とが表示され、
前記第１の板部材と前記第２の板部材との一方の板部材が、他方の板部材の表示を透過して視認し得る透明性を有することを特徴とするスケール。
【請求項２】
相線式の異なる複数のパターンに応じて、前記電流ベクトル図形、前記電圧ベクトル図形および前記第２の目盛が設けられている請求項１に記載のスケール。
【請求項３】
前記複数のパターンに応じて、前記電流ベクトル図形を識別可能、前記電圧ベクトル図形を識別可能および前記第２の目盛を識別可能に構成されている請求項２に記載のスケール。
【請求項４】
前記複数のパターンに応じて、色彩が異なることにより、前記電流ベクトル図形を識別可能、前記電圧ベクトル図形を識別可能および前記第２の目盛を識別可能に構成されている請求項２に記載のスケール。
【請求項５】
前記複数のパターンは、単相３線式および３相３線式を含む請求項２ないし４のいずれかに記載のスケール。
【請求項６】
前記電流ベクトル図形と前記電圧ベクトル図形とを識別可能に構成されている請求項１ないし５のいずれかに記載のスケール。
【請求項７】
色彩が異なることにより、前記電流ベクトル図形と前記電圧ベクトル図形とを識別可能に構成されている請求項１ないし５のいずれかに記載のスケール。
【請求項８】
前記電流ベクトル図形は、該電流ベクトル図形の始点が前記第１の板部材の回転中心に位置するように設けられ、
前記電圧ベクトル図形は、該電圧ベクトル図形の始点が前記第２の板部材の回転中心に位置するように設けられている請求項１ないし７のいずれかに記載のスケール。
【請求項９】
前記第１のディスクおよび前記第２のディスクを相対的に回転させ、前記指標を前記第１の目盛の所定の力率を示す目盛に一致させると、前記電流ベクトル図形が、前記第２の目盛の前記所定の力率に応じた位相角を指し示すよう構成されている請求項１ないし８のいずれかに記載のスケール。
【請求項１０】
互いに重なり、相対的に回転可能に設けられた第１の板部材および第２の板部材を有し、単相３線式および３相３線式を含む相線式の異なる複数のパターンの配電部における力率に応じた電圧の位相および電流の位相の関係を示すスケールであって、
前記第１の板部材には、前記複数のパターンに応じて、前記電流のベクトルを示し、該電流の位相角に応じた方向を示す電流ベクトル図形が表示されると共に、前記力率または前記力率に対応する力率角を示す第１の目盛が表示され、
前記第２の板部材には、前記複数のパターンに応じて、前記電圧のベクトルを示し、該電圧の位相角に応じた方向を示す電圧ベクトル図形と、前記電圧ベクトル図形の指し示す位相角が０°となるように設けられた位相角を示す第２の目盛とが表示されると共に、前記力率または前記力率に対応する力率角を指し示す指標が表示され、
前記複数のパターンに応じて、色彩が異なることにより、前記電流ベクトル図形を識別可能、前記電圧ベクトル図形を識別可能および前記第２の目盛を識別可能に構成され、
色彩が異なることにより、前記電流ベクトル図形と前記電圧ベクトル図形とを識別可能に構成され、
前記電流ベクトル図形は、該電流ベクトル図形の始点が前記第１の板部材の回転中心に位置するように設けられ、
前記電圧ベクトル図形は、該電圧ベクトル図形の始点が前記第２の板部材の回転中心に位置するように設けられ、
前記第１の板部材と前記第２の板部材との一方の板部材が、他方の板部材の表示を透過して視認し得る透明性を有し、
前記第１のディスクおよび前記第２のディスクを相対的に回転させ、前記指標を前記第１の目盛の所定の力率を示す目盛に一致させると、前記電流ベクトル図形が、前記第２の目盛の前記所定の力率に応じた位相角を指し示すよう構成されていることを特徴とするスケール。
【請求項１１】
前記第１の板部材の前記第１の目盛が形成されている第１の目盛形成領域と前記第２の板部材の前記第２の目盛が形成されている第２の目盛形成領域との一部が重なり、該重なった部位において、前記第１の目盛と前記第２の目盛との一方を視認し得ないよう構成されている請求項１ないし１０のいずれかに記載のスケール。
【請求項１２】
前記第１の板部材は、前記第２の板部材の表示面側に位置し、
前記第１の目盛形成領域が不透明であり、これにより、前記第１の目盛形成領域と前記第２の目盛形成領域との重なった部位において、前記第２の目盛を視認し得ないよう構成されている請求項１１に記載のスケール。
【請求項１３】
前記第１の目盛および前記第２の目盛は、互いに重ならないように設けられている請求項１ないし１０のいずれかに記載のスケール。
【請求項１４】
前記第１の板部材および前記第２の板部材は、それぞれ、円盤状をなしている請求項１ないし１３のいずれかに記載のスケール。
【考案の詳細な説明】
【技術分野】
【０００１】
本考案は、力率に応じた電圧の位相および電流の位相の関係を示すスケールに関するものである。
【背景技術】
【０００２】
電力売買において取引電力量の計量に使用される電力量計は、日本工業規格において許容誤差等の性能、機能が規格化されている。また、電力量計の譲渡時においては、予め電力量計が所定の性能、機能を満足しているか否かを検査する検定を受け、その検定結果を電力量計に添付することが計量法において義務付けられている。
【０００３】
このため、上記の検定において、電力量計が所定の性能、機能を満足するように、電力量計は、製造後、予め調整（試験、調節）が行われる。電力量計の調整は、通常、上記の検定で行われる測定の条件に従って行われる。例えば、定格電流が３０Ａの普通電力量計の場合、力率１において３０、１５、１Ａの交流電流での電力量、力率０．５において、３０、６Ａの交流電流での電力量について器差の検定が行われる。したがって、電力量計がこのような普通電力量計である場合、上記の５つの条件について、電力量計の調整が行われる。
【０００４】
製造された電力量計を上記の検査（検定）に対応させるための電力量計の調整においては、電力量計に既知の大きさの交流電流および交流電圧を供給して、電力量計の器差（計測誤差）を測定する電力量計器差測定システムが用いられる（例えば、特許文献１参照）。
【０００５】
このような電力量計等、複数の力率で試験を行う各種の被試験器の試験において、力率を目標値に設定する場合、配電方式（例えば、単相２線式、単相３線式、３相３線式、３相４線式等）に応じて力率を目標値に設定するために、その配電方式および力率に対応した電圧の位相と電流の位相との関係を把握する必要がある。従来は、配電方式および力率に対応した電圧の位相と電流の位相との関係を、予め、表にしておくか、または、その都度、計算で求める方法が採用されている。
【０００６】
しかしながら、前記従来の方法では、配電方式および力率に応じて、計算により、電圧の位相と電流の位相との関係を求めるので、その関係を求めるのに手間と時間がかかるとともに、間違い易いという欠点がある。
【０００７】
また、配電方式および力率に対応した電圧の位相と電流の位相との関係を表にしておいたとしても、誤って読み取ってしまい、やはり、間違い易いという欠点がある。
【先行技術文献】
【特許文献】
【０００８】
【特許文献１】特開２００７−３２７７６４号公報
【考案の概要】
【考案が解決しようとする課題】
【０００９】
本考案の目的は、簡易な構成で、所定の相線式の配電部における力率に応じた電圧の位相および電流の位相の関係を容易、迅速かつ確実に示すことができるスケールを提供することにある。
【課題を解決するための手段】
【００１０】
このような目的は、以下（１）〜（１４）の本考案により達成される。
（１）  互いに重なり、相対的に回転可能に設けられた第１の板部材および第２の板部材を有し、所定の相線式の配電部における力率に応じた電圧の位相および電流の位相の関係を示すスケールであって、
前記第１の板部材には、前記電流のベクトルを示し、該電流の位相角に応じた方向を示す電流ベクトル図形と、前記力率または前記力率に対応する力率角を示す第１の目盛とが表示され、
前記第２の板部材には、前記電圧のベクトルを示し、該電圧の位相角に応じた方向を示す電圧ベクトル図形と、前記電圧ベクトル図形の指し示す位相角が０°となるように設けられた位相角を示す第２の目盛と、前記力率または前記力率に対応する力率角を指し示す指標とが表示され、
前記第１の板部材と前記第２の板部材との一方の板部材が、他方の板部材の表示を透過して視認し得る透明性を有することを特徴とするスケール。
【００１１】
（２）  相線式の異なる複数のパターンに応じて、前記電流ベクトル図形、前記電圧ベクトル図形および前記第２の目盛が設けられている上記（１）に記載のスケール。
【００１２】
（３）  前記複数のパターンに応じて、前記電流ベクトル図形を識別可能、前記電圧ベクトル図形を識別可能および前記第２の目盛を識別可能に構成されている上記（２）に記載のスケール。
【００１３】
（４）  前記複数のパターンに応じて、色彩が異なることにより、前記電流ベクトル図形を識別可能、前記電圧ベクトル図形を識別可能および前記第２の目盛を識別可能に構成されている上記（２）に記載のスケール。
【００１４】
（５）  前記複数のパターンは、単相３線式および３相３線式を含む上記（２）ないし（４）のいずれかに記載のスケール。
【００１５】
（６）  前記電流ベクトル図形と前記電圧ベクトル図形とを識別可能に構成されている上記（１）ないし（５）のいずれかに記載のスケール。
【００１６】
（７）  色彩が異なることにより、前記電流ベクトル図形と前記電圧ベクトル図形とを識別可能に構成されている上記（１）ないし（５）のいずれかに記載のスケール。
【００１７】
（８）  前記電流ベクトル図形は、該電流ベクトル図形の始点が前記第１の板部材の回転中心に位置するように設けられ、
前記電圧ベクトル図形は、該電圧ベクトル図形の始点が前記第２の板部材の回転中心に位置するように設けられている上記（１）ないし（７）のいずれかに記載のスケール。
【００１８】
（９）  前記第１のディスクおよび前記第２のディスクを相対的に回転させ、前記指標を前記第１の目盛の所定の力率を示す目盛に一致させると、前記電流ベクトル図形が、前記第２の目盛の前記所定の力率に応じた位相角を指し示すよう構成されている上記（１）ないし（８）のいずれかに記載のスケール。
【００１９】
（１０）  互いに重なり、相対的に回転可能に設けられた第１の板部材および第２の板部材を有し、単相３線式および３相３線式を含む相線式の異なる複数のパターンの配電部における力率に応じた電圧の位相および電流の位相の関係を示すスケールであって、
前記第１の板部材には、前記複数のパターンに応じて、前記電流のベクトルを示し、該電流の位相角に応じた方向を示す電流ベクトル図形が表示されると共に、前記力率または前記力率に対応する力率角を示す第１の目盛が表示され、
前記第２の板部材には、前記複数のパターンに応じて、前記電圧のベクトルを示し、該電圧の位相角に応じた方向を示す電圧ベクトル図形と、前記電圧ベクトル図形の指し示す位相角が０°となるように設けられた位相角を示す第２の目盛とが表示されると共に、前記力率または前記力率に対応する力率角を指し示す指標が表示され、
前記複数のパターンに応じて、色彩が異なることにより、前記電流ベクトル図形を識別可能、前記電圧ベクトル図形を識別可能および前記第２の目盛を識別可能に構成され、
色彩が異なることにより、前記電流ベクトル図形と前記電圧ベクトル図形とを識別可能に構成され、
前記電流ベクトル図形は、該電流ベクトル図形の始点が前記第１の板部材の回転中心に位置するように設けられ、
前記電圧ベクトル図形は、該電圧ベクトル図形の始点が前記第２の板部材の回転中心に位置するように設けられ、
前記第１の板部材と前記第２の板部材との一方の板部材が、他方の板部材の表示を透過して視認し得る透明性を有し、
前記第１のディスクおよび前記第２のディスクを相対的に回転させ、前記指標を前記第１の目盛の所定の力率を示す目盛に一致させると、前記電流ベクトル図形が、前記第２の目盛の前記所定の力率に応じた位相角を指し示すよう構成されていることを特徴とするスケール。
【００２０】
（１１）  前記第１の板部材の前記第１の目盛が形成されている第１の目盛形成領域と前記第２の板部材の前記第２の目盛が形成されている第２の目盛形成領域との一部が重なり、該重なった部位において、前記第１の目盛と前記第２の目盛との一方を視認し得ないよう構成されている上記（１）ないし（１０）のいずれかに記載のスケール。
【００２１】
（１２）  前記第１の板部材は、前記第２の板部材の表示面側に位置し、
前記第１の目盛形成領域が不透明であり、これにより、前記第１の目盛形成領域と前記第２の目盛形成領域との重なった部位において、前記第２の目盛を視認し得ないよう構成されている上記（１１）に記載のスケール。
【００２２】
（１３）  前記第１の目盛および前記第２の目盛は、互いに重ならないように設けられている上記（１）ないし（１０）のいずれかに記載のスケール。
【００２３】
（１４）  前記第１の板部材および前記第２の板部材は、それぞれ、円盤状をなしている上記（１）ないし（１３）のいずれかに記載のスケール。
【考案の効果】
【００２４】
本考案によれば、第１の板部材および第２の板部材を相対的に回転させ、指標を第１の目盛の所定の力率を示す目盛に一致させると、その所定の力率に応じた電圧の位相および電流の位相の関係が示される。すなわち、電流ベクトル図形が、第２の目盛の前記所定の力率に応じた位相角を指し示す。これにより、力率に応じた電圧の位相および電流の位相の関係を一目瞭然で、確実に把握することができる。
【００２５】
また、計算等を行う必要がなく、第１の板部材および第２の板部材を相対的に回転させて指標を第１の目盛の所定の力率を示す目盛に一致させる操作を行うだけで、力率に応じた電圧の位相および電流の位相の関係を提示することができるので、操作が容易であり、迅速かつ確実に、前記電圧の位相および電流の位相の関係を提示できる。
【００２６】
また、本考案は、第１の板部材および第２の板部材を相対的に回転可能に設けてなるものであり、その構成も簡易である。
【図面の簡単な説明】
【００２７】
【図１】本考案のスケールの実施形態を示す平面図である。
【図２】図１に示すスケールの第１のディスクを示す平面図である。
【図３】図１に示すスケールの第２のディスクを示す平面図である。
【図４】図１に示すスケールにおける３相３線式の配電部の各電圧（電圧ベクトル）および各電流（電流ベクトル）を説明するための回路図である。
【図５】図１に示すスケールにおける単相３線式の配電部の各電圧（電圧ベクトル）および各電流（電流ベクトル）を説明するための回路図である。
【図６】図１に示すスケールの使用例（力率が０．８６６の遅れ力率の場合）を説明するための平面図である。
【考案を実施するための形態】
【００２８】
以下、本考案のスケールを添付図面に示す好適な実施形態に基づいて詳細に説明する。
なお、本考案のスケールは、所定の相線式（配電方式）の配電部（電源部）における力率に応じた電圧の位相（位相角）および電流の位相（位相角）の関係を示す器具であるが、下記の実施形態では、代表的に、相線式の異なる複数のパターン（複数の配電方式）のそれぞれにおける力率に応じた電圧の位相および電流の位相の関係を示すスケールについて説明する。
【００２９】
図１は、本考案のスケールの実施形態を示す平面図、図２は、図１に示すスケールの第１のディスクを示す平面図、図３は、図１に示すスケールの第２のディスクを示す平面図、図４は、図１に示すスケールにおける３相３線式の配電部の各電圧（電圧ベクトル）および各電流（電流ベクトル）を説明するための回路図、図５は、図１に示すスケールにおける単相３線式の配電部の各電圧（電圧ベクトル）および各電流（電流ベクトル）を説明するための回路図、図６は、図１に示すスケールの使用例（力率が０．８６６の遅れ力率の場合）を説明するための平面図である。
【００３０】
なお、以下では、図１〜図３、図６中の上側を「上」、下側を「下」、右側を「右」、左側を「左」として説明を行う。
【００３１】
また、図１および図６において、第２のディスクのうち、第１のディスクを透過して見える部位については、破線ではなく、実線で示す。
【００３２】
また、図１および図６において、第２のディスクに表示された第２の目盛のうち、第１のディスクに表示された第１の目盛の裏側に位置しているものは、括弧書きで示す。
【００３３】
また、図２および図３では、ピンやそのピンが挿入される孔等の図示は、省略されている。
【００３４】
図１に示すスケール１０は、相線式の異なる複数のパターン（複数の配電方式）、すなわち、３相３線式の配電部（電源部）および単相３線式の配電部（電源部）のそれぞれにおける力率に応じた電圧の位相（位相角）および電流の位相（位相角）の関係を示す器具である。
【００３５】
スケール１０の説明を行う前に、まずは、３相３線式の配電部における各電圧（電圧べクトル）および各電流（電流ベクトル）と、単相３線式の配電部における各電圧（電圧ベクトル）および各電流（電流ベクトル）とについて説明する。なお、各電圧および各電流は、それぞれ、負荷が平衡状態のときのものとする。
【００３６】
＜３相３線式＞
３相３線式の配電部の場合は、本実施形態では、Ｖ結線を想定する。すなわち、図４に示すように、端子１を端子２から見たときの端子１と端子２の間の電圧Ｅ１２と、端子３を端子２から見たときの端子３と端子２の間の電圧Ｅ３２と、端子１へ流れる電流Ｉ１と、端子３へ流れる電流Ｉ３とを想定する。なお、端子２へ流れる電流Ｉ２は、本実施形態では不要である。スケール１０は、これら電圧Ｅ１２の位相、電圧Ｅ３２の位相、電流Ｉ１の位相および電流Ｉ３の位相の互いの関係を示すように構成される。
【００３７】
ここで、電圧Ｅ３２の位相は、電圧Ｅ１２の位相に対して６０°進んでいる。また、電流Ｉ３の位相は、電流Ｉ１の位相に対して１２０°進んでいる。この関係は、力率の値によらず、一定である。
【００３８】
また、例えば、力率が１の場合は、電流Ｉ１の位相は、電圧Ｅ１２の位相に対して３０°遅れ、電流Ｉ３の位相は、電圧Ｅ３２の位相に対して３０°進んでいる。
【００３９】
＜単相３線式＞
単相３線式の配電部の場合は、図５に示すように、端子１を端子Ｎから見たときの端子１と端子Ｎの間の電圧Ｅ１Ｎと、端子２を端子Ｎから見たときの端子２と端子Ｎの間の電圧Ｅ２Ｎと、端子１へ流れる電流Ｉ１と、端子２へ流れる電流Ｉ３とを想定する。なお、負荷が平衡状態であるので、端子Ｎへ電流は流れない。スケール１０は、これら電圧Ｅ１Ｎの位相、電圧Ｅ２Ｎの位相、電流Ｉ１の位相および電流Ｉ２の位相の互いの関係を示すように構成される。
【００４０】
ここで、電圧Ｅ２Ｎの位相は、電圧Ｅ１Ｎの位相に対して１８０°進んでいる（または遅れている）。同様に、電流Ｉ２の位相は、電流Ｉ１の位相に対して１８０°進んでいる（または遅れている）。この関係は、力率の値によらず、一定である。
【００４１】
また、例えば、力率が１の場合は、電流Ｉ１の位相は、電圧Ｅ１Ｎの位相に対して同位相であり、同様に、電流Ｉ２の位相は、電圧Ｅ２Ｎの位相に対して同位相である。
【００４２】
次に、スケール１０について説明する。
図１〜図３に示すように、スケール１０は、円盤状の第１の板部材である第１のディスク１と、第１のディスク１と重なるように配置された円盤状の第２の板部材である第２のディスク２と、第１のディスク１および第２のディスク２の中心部に位置するピン３とを有している。第１のディスク１および第２のディスク２は、ピン３を中心に相対的に回転可能に設置されている。なお、図１には、力率が１の場合の状態が示されている。
【００４３】
また、本実施形態では、第１のディスク１の直径（寸法）と、第２のディスク２の直径とが等しく設定されており、また、第１のディスク１は、第２のディスク２の表示面側（図１中の紙面に対して手前側）に位置している。
【００４４】
なお、第２のディスク２が、第１のディスク１の表示面側（図１中の紙面に対して手前側）に位置していてもよい。
【００４５】
また、第１のディスク１の直径と、第２のディスク２の直径とが異なっていてもよい。一例としては、例えば、第１のディスク１の直径を第２のディスク２の直径よりも小さく設定してもよい。
【００４６】
また、第１のディスク１および第２のディスク２には、それぞれ、１つまたは複数の開口が形成されていてもよい。
【００４７】
また、第１の板部材および第２の板部材の形状としては、それぞれ、円盤状には限定されず、例えば、平面視で、四角形等の多角形や、楕円形等が挙げられ、また、枠状をなしていてもよい。一例としては、例えば、第１の板部材を円盤状とし、第２の板部材の平面視での形状を四角形等としてもよい。
【００４８】
図２に示すように、第１のディスク１には、３相３線式の配電部における電流Ｉ１のベクトルおよび電流Ｉ３のベクトルを示し、その電流Ｉ１の位相角および電流Ｉ３の位相角に応じた方向を示す電流ベクトル図形４１および４２と、単相３線式の配電部における電流Ｉ１のベクトルおよび電流Ｉ２のベクトルを示し、その電流Ｉ１の位相角および電流Ｉ２の位相角に応じた方向を示す電流ベクトル図形４３および４４と、力率を示す第１の目盛６とが表示されている（設けられている）。以下、３相３線式の配電部における電流を、単に、「３相３線式の電流」とも言う。また、単相３線式の配電部における電流を、単に、「単相３線式の電流」とも言う。
【００４９】
なお、第１の目盛６は、力率に限らず、例えば、力率角等、力率に対応するものを示すように構成されていればよいが、本実施形態では、代表的に、第１の目盛６が力率を示すように構成されている場合について説明する。
【００５０】
電流ベクトル図形４１〜４４の形状は、それぞれ、ベクトルの表示に対応した形状（矢印の形状）をなしている。また電流ベクトル図形４１〜４４は、それぞれ、その電流ベクトル図形４１〜４４の始点が第１のディスク１の回転中心に位置するように設けられている。
【００５１】
また、電流ベクトル図形４１および電流ベクトル図形４２は、それぞれ、電流ベクトル図形４１と電流ベクトル図形４２とのなす角が１２０°となり、電流ベクトル図形４２が電流ベクトル図形４１よりも進んだ位相角を示すように配置されている。
【００５２】
また、電流ベクトル図形４３および電流ベクトル図形４４は、それぞれ、電流ベクトル図形４３と電流ベクトル図形４４とのなす角が１８０°となるように、すなわち、電流ベクトル図形４３と電流ベクトル図形４４とが、同一直線上に位置し、互いに逆方向を向くように配置されている。
【００５３】
また、電流ベクトル図形４３は、電流ベクトル図形４１と電流ベクトル図形４２との中間に配置されている。すなわち、電流ベクトル図形４３は、その電流ベクトル図形４３の指し示す位相角が、電流ベクトル図形４１の指し示す位相角と電流ベクトル図形４２の指し示す位相角との中間値（平均値）を指し示すように配置されている。
【００５４】
なお、電流ベクトル図形４１〜４４の始点の位置は、それぞれ、第１のディスク１の回転中心に限定されず、例えば、電流ベクトル図形４１〜４４の始点は、それぞれ、第１のディスク１の回転中心から離間していてもよい。また、電流ベクトル図形４１〜４４の形状は、それぞれ、図示の形状に限らず、例えば、矢印の先端部（頭部）のみの形状、三角形、線状等をなしていてもよい。
【００５５】
また、電流ベクトル図形４１〜４４の近傍には、それぞれ、その電流ベクトル図形４１〜４４が示す電流を示す文字が表示されている。すなわち、電流ベクトル図形４１の近傍には、「Ｉ１」が表示され、また、電流ベクトル図形４２の近傍には、「Ｉ３」が表示され、また、電流ベクトル図形４３の近傍には、「Ｉ１」が表示され、また、電流ベクトル図形４４の近傍には、「Ｉ２」が表示されている。
【００５６】
また、第１の目盛６は、第１のディスク１の外周部に、その外周に沿って設けられている。この第１の目盛６は、「１」から「０」まで設けられている。また、第１の目盛６は、その第１の目盛６の示す力率に対応する力率角の大きさと、中心角の大きさとが一致するように設定されている。
【００５７】
また、力率には、遅れ力率（電圧の位相に対して電流の位相が遅れている場合）と、進み力率（電圧の位相に対して電流の位相が進んでいる場合）とがあるので、前記第１の目盛６の近傍には、その遅れ力率と進み力率とを区別する文字および矢印（図形）が表示されている。すなわち、第１の目盛６のうち、「１」の目盛よりも図２中の反時計回りの方向にある目盛（右側の目盛）が、遅れ力率を示す目盛であるので、その「１」の目盛の右側に、「遅れ力率」と、反時計回りの方向を示す矢印とが表示されている。また、第１の目盛６のうち、「１」の目盛よりも図２中の時計回りの方向にある目盛（左側の目盛）が、進み力率を示す目盛であるので、その「１」の目盛左側に、「進み力率」と、時計回りの方向を示す矢印とが表示されている。
【００５８】
また、本実施形態では、第１の目盛６の「１」の目盛は、電流ベクトル図形４４の指し示す位置に配置されている。なお、「１」の目盛の位置は、これに限定されないことは、言うまでもない。
【００５９】
図３に示すように、第２のディスク２には、３相３線式の配電部における電圧Ｅ１２のベクトルおよび電圧Ｅ３２のベクトルを示し、その電圧Ｅ１２の位相角および電圧Ｅ３２の位相角に応じた方向を示す電圧ベクトル図形５１および５２と、単相３線式の配電部における電圧Ｅ１Ｎのベクトルおよび電圧Ｅ２Ｎのベクトルを示し、その電圧Ｅ１Ｎの位相角および電圧Ｅ２Ｎの位相角に応じた方向を示す電圧ベクトル図形５３および５４と、電圧ベクトル図形５１の指し示す位相角が０°となるように設けられた３相３線式用の位相角（電圧Ｅ１２の位相角を０°としたときの位相角）を示す第２の目盛７と、電圧ベクトル図形５３の指し示す位相角が０°となるように設けられた単相３線式用の位相角（電圧Ｅ１Ｎの位相角を０°としたときの位相角）を示す第２の目盛８と、前記第１の目盛６の力率を指し示す指標９とが表示されている。以下、３相３線式の配電部における電圧を、単に、「３相３線式の電圧」とも言う。また、単相３線式の配電部における電圧を、単に、「単相３線式の電圧」とも言う。
【００６０】
なお、本実施形態では、前記第１のディスク１の第１の目盛６が力率を示すように構成されているが、その第１の目盛６が力率角を示すように構成される場合は、指標９は、その力率角を指し示すものとなる。
【００６１】
電圧ベクトル図形５１〜５４の形状は、それぞれ、ベクトルの表示に対応した形状（矢印の形状）をなしている。また電圧ベクトル図形５１〜５４は、それぞれ、その電圧ベクトル図形５１〜５４の始点が第２のディスク２の回転中心に位置するように設けられている。これにより、前記第１のディスク１および第２のディスク２は、前記電流ベクトル図形４１〜４４、電圧ベクトル図形５１〜５４の始点を中心に相対的に回転する。
【００６２】
また、電圧ベクトル図形５１および電圧ベクトル図形５２は、それぞれ、電圧ベクトル図形５１と電圧ベクトル図形５２とのなす角が６０°となり、電圧ベクトル図形５２が電圧ベクトル図形５１よりも進んだ位相角を示すように配置されている。
【００６３】
また、電圧ベクトル図形５３および電圧ベクトル図形５４は、それぞれ、電圧ベクトル図形５３と電圧ベクトル図形５４とのなす角が１８０°となるように、すなわち、電圧ベクトル図形５３と電圧ベクトル図形５４とが、同一直線上に位置し、互いに逆方向を向くように配置されている。
【００６４】
また、電圧ベクトル図形５３は、電圧ベクトル図形５１と電圧ベクトル図形５２との中間に配置されている。すなわち、電圧ベクトル図形５３は、その電圧ベクトル図形５３の指し示す位相角が、電圧ベクトル図形５１の指し示す位相角と電圧ベクトル図形５２の指し示す位相角との中間値（平均値）を指し示すように配置されている。
【００６５】
なお、電圧ベクトル図形５１〜５４の始点の位置は、それぞれ、第２のディスク２の回転中心に限定されず、例えば、電圧ベクトル図形５１〜５４の始点は、それぞれ、第２のディスク２の回転中心から離間していてもよい。また、電圧ベクトル図形５１〜５４の形状は、それぞれ、図示の形状に限らず、例えば、矢印の先端部のみの形状、三角形、線状等をなしていてもよい。
【００６６】
また、電圧ベクトル図形５１の先端と電圧ベクトル図形５２の先端との間には、これらを結び、破線で構成された線分５５が表示されている。これにより、電圧ベクトル図形５１と電圧ベクトル図形５２とが、互いに関連していること、すなわち、３相３線式のものであることを、瞬時に、かつ容易に把握することができる。
【００６７】
また、電圧ベクトル図形５１〜５４の近傍には、それぞれ、その電圧ベクトル図形５１〜５４が示す電圧を示す文字が表示されている。すなわち、電圧ベクトル図形５１の近傍には、「Ｅ１２」が表示され、また、電圧ベクトル図形５２の近傍には、「Ｅ３２」が表示され、また、電圧ベクトル図形５３の近傍には、「Ｅ１Ｎ」が表示され、また、電圧ベクトル図形５４の近傍には、「Ｅ２Ｎ」が表示されている。
【００６８】
また、第２の目盛７は、３相３線式の電圧Ｅ１２の位相、電圧Ｅ３２の位相、電流Ｉ１の位相および電流Ｉ３の位相の関係の提示に用いる目盛であり、第１のディスク１の外周部に、その外周に沿って設けられている。この第２の目盛７は、図３中の反時計回りの方向に向って位相角が増大するように、「−１２０°」から「１８０°」まで設けられており、位相角の値が負の場合は、遅れ位相角（位相が遅れていること）を示し、正の場合は、進み位相角（位相が進んでいること）を示す。また、第２の目盛７は、その第２の目盛７の示す位相角の大きさと、中心角の大きさとが一致するように設定されている。
【００６９】
また、第２の目盛８は、単相３線式の電圧Ｅ１Ｎの位相、電圧Ｅ２Ｎの位相、電流Ｉ１の位相および電流Ｉ２の位相の関係の提示に用いる目盛であり、第１のディスク１の外周部に、その外周に沿って設けられている。この第２の目盛８は、図３中の反時計回りの方向に向って位相角が増大するように、「−９０°」から「９０°」まで設けられており、位相角の値が負の場合は、遅れ位相角を示し、正の場合は、進み位相角を示す。また、第２の目盛８は、その第２の目盛８の示す位相角の大きさと、中心角の大きさとが一致するように設定されている。また、第２の目盛８の「０°」の目盛は、第２の目盛７の「３０°」の目盛の位置に配置されている。
【００７０】
なお、第２の目盛８は、本実施形態では、第２の目盛７の内周側に設けられているが、これに限らず、例えば、第２の目盛７の外周側に設けられていてもよい。
【００７１】
また、指標９は、電流ベクトル図形４１が第２の目盛７の「−３０°」の目盛を指し示すとき（電流ベクトル図形４３が第２の目盛８の「０°」の目盛を指し示すとき）、第１の目盛６の「１（力率１）」の目盛を指し示す位置に配置されている。
【００７２】
このように、力率が１のときは、図１に示すように、３相３線式の場合は、電流Ｉ１の電流ベクトル図形４１は、第２の目盛７「−３０°」の目盛を指し示す。これは、電流Ｉ１の位相が、電圧Ｅ１２に対して、３０°遅れていることを示す。また、電流ベクトル図形４１と、電圧Ｅ３２の電圧ベクトル図形５２と、第２の目盛７とを見ると、電流Ｉ１の位相が、電圧Ｅ３２に対して、９０°遅れていることが判る。
【００７３】
また、電流Ｉ３の電流ベクトル図形４２は、第２の目盛７の「９０°」の目盛を指し示す。これは、電流Ｉ３の位相が、電圧Ｅ１２に対して、９０°進んでいることを示す。また、電流ベクトル図形４２と、電圧Ｅ３２の電圧ベクトル図形５２と、第２の目盛７とを見ると、電流Ｉ３の位相が、電圧Ｅ３２に対して、３０°進んでいることが判る。
【００７４】
また、単相３線式の場合は、電流Ｉ１の電流ベクトル図形４３は、第２の目盛８の「０°」の目盛を指し示す。これは、電流Ｉ１の位相が、電圧Ｅ１Ｎに対して、同位相であることを示す。また、この電流Ｉ１の位相と電圧Ｅ１Ｎとの関係は、単相２線式の場合の電流の位相と電圧の位相との関係でもあり、このため、単相２線式の場合の電流の位相と電圧の位相との関係を知りたいときは、前記電流ベクトル図形４３、電圧ベクトル図形５３および第２の目盛８を代用することができる。
【００７５】
また、電流Ｉ２の電流ベクトル図形４４と、電圧Ｅ２Ｎの電圧ベクトル図形５４とを見ると、それらは互いに重なっているので、電流Ｉ２の位相が、電圧Ｅ２Ｎに対して、同位相であることが判る。
【００７６】
また、このスケール１０では、３相３線式の配電部の場合と単相３線式の配電部の場合とで、色彩が異なることにより、その３相３線式の電流Ｉ１を示す電流ベクトル図形４１および電流Ｉ３を示す電流ベクトル図形４２と、単相３線式の電流Ｉ１を示す電流ベクトル図形４３および電流Ｉ２を示す電流ベクトル図形４４とを識別可能に構成されている。また、３相３線式の配電部の場合と単相３線式の配電部の場合とで、色彩が異なることにより、その３相３線式の電圧Ｅ１２を示す電圧ベクトル図形５１および電圧Ｅ３２を示す電圧ベクトル図形５２と、単相３線式の電圧Ｅ１Ｎを示す電圧ベクトル図形５３および電圧Ｅ２Ｎを示す電圧ベクトル図形５４とを識別可能に構成されている。また、色彩が異なることにより、３相３線式の配電部および単相３線式の配電部のそれぞれにおいて、各電流ベクトル図形と、各電圧ベクトル図形とを識別可能に構成されている。
【００７７】
具体的には、３相３線式の電圧Ｅ１２を示す電圧ベクトル図形５１および電圧Ｅ３２を示す電圧ベクトル図形５２は、黒色で表示され、電流Ｉ１を示す電流ベクトル図形４１および電流Ｉ３を示す電流ベクトル図形４２は、赤色で表示されている。
【００７８】
また、単相３線式の電圧Ｅ１Ｎを示す電圧ベクトル図形５３および電圧Ｅ２Ｎを示す電圧ベクトル図形５４は、青色で表示され、電流Ｉ１を示す電流ベクトル図形４３および電流Ｉ２を示す電流ベクトル図形４４は、緑色で表示されている。
【００７９】
すなわち、電圧ベクトル図形５１および５２と、電流ベクトル図形４１および４２と、電圧ベクトル図形５３および５４と、電流ベクトル図形４３および４４とが、すべて、異なる色で表示されている。
【００８０】
これにより、各ベクトル図形がそれぞれ何を示すものであるかを、容易、迅速、かつ確実に把握することができる。
【００８１】
また、第２のディスク２の図３中の左下の領域には、各ベクトル図形がそれぞれ何を示すものであるかを示す文字等が表示されている。すなわち、「黒：３ＰＶ  電圧Ｅ１２、Ｅ３２」、「赤：３Ｐ３W  電流Ｉ１、Ｉ３」、「青：１Ｐ３W  電圧Ｅ１Ｎ、Ｅ２Ｎ」、「緑：１Ｐ３W  電流Ｉ１、Ｉ２」が表示されている。
【００８２】
また、これらの各文字等は、それぞれ、対応する各ベクトル図形の色と同じ色で表示されている。具体的には、「黒：３ＰＶ  電圧Ｅ１２、Ｅ３２」は、黒色で表示され、「赤：３Ｐ３W  電流Ｉ１、Ｉ３」は、赤色で表示され、「青：１Ｐ３W  電圧Ｅ１Ｎ、Ｅ２Ｎ」は、青色で表示され、「緑：１Ｐ３W  電流Ｉ１、Ｉ２」は、緑色で表示されている。
【００８３】
これにより、各ベクトル図形がそれぞれ何を示すものであるかを、容易、迅速、かつ確実に把握することができる。
【００８４】
また、３相３線式用の第２の目盛７は、電流ベクトル図形４１および４２の色と同じ色、すなわち、赤色で表示され、また、単相３線式用の第２の目盛８は、電流ベクトル図形４３および４３の色と同じ色、すなわち、緑色で表示されている。
【００８５】
これにより、第２の目盛７が３相３線式用の目盛であること、第２の目盛８が単相３線式用の目盛であることを、容易、迅速、かつ確実に把握することができる。
【００８６】
また、このスケール１０では、電流ベクトル図形４１〜４４、電圧ベクトル図形５１〜５４の長さ（寸法）は、電流ベクトル図形４１および４２と、電流ベクトル図形４３および４４と、電圧ベクトル図形５１および５２と、電圧ベクトル図形５３および５４との長さが、互いに異なるように設定されている。これにより、各ベクトル図形を容易に識別することができる。
【００８７】
なお、電流ベクトル図形４１、４２同士の長さ、電流ベクトル図形４３、４４同士の長さ、電圧ベクトル図形５１、５２同士の長さ、電圧ベクトル図形５３、５４同士の長さは、互いに等しい。
【００８８】
また、第１のディスク１は、第２のディスク２の表示を透過して視認し得る透明性（光透過性）を有している。
【００８９】
ここで、第１のディスク１の一部のみが透明性を有していてもよく、また、全体が透明性を有していてもよいが、本実施形態では、第１のディスク１の一部は、不透明になっている。すなわち、図１に示すように、第１のディスク１の第１の目盛６が形成されている目盛形成領域（第１の目盛形成領域）１１は、不透明であり、目盛形成領域１１と第２のディスク２の第２の目盛７が形成されている目盛形成領域（第２の目盛形成領域）１２との一部が重なり、その重なった部位１３において、第２の目盛７が隠れ、その第２の目盛７を視認し得ないよう構成されている。この重なった部位１３における第２の目盛７は、本来、不要である。そして、重なった部位１３において、第２の目盛７を視認できなくすることにより、第２の目盛７のうちの必要な目盛と、第１の目盛６とをそれぞれ見易くすることができる。なお、第１のディスク１と第２のディスク２とを相対的に回転されると、目盛形成領域１１と目盛形成領域１２との重なり具合が変化し、第２の目盛７のうちの必要な目盛は、視認可能になる。
【００９０】
一方、前述したように、第２の目盛８は、第２の目盛７の内周側に配置されており、目盛形成領域１１に隠れないようになっている。なお、目盛形成領域１１と第２の目盛８が形成されている目盛形成領域（第２の目盛形成領域）との一部が重なり、その重なった部位において、第２の目盛８が隠れ、その第２の目盛８を視認し得ないよう構成されていてもよい。
【００９１】
前記第１のディスク１および第２のディスク２の構成材料としては、それぞれ、特に限定されず、例えば、各種の樹脂材料等が挙げられる。
【００９２】
次に、スケール１０の使用例を説明する。
所定の力率のときの各電圧の位相および各電流の位相の関係を知りたいときは、スケール１０の第１のディスク１と第２のディスク２とを相対的に回転させ、指標を第１の目盛の所定（目標）の力率を示す目盛に一致させる。例えば、０．８６６の遅れ力率のときの各電圧の位相および各電流の位相の関係を知りたいときは、図６に示すように、指標を０．８６６の遅れ力率を示す目盛に一致させる。
【００９３】
これによって、スケール１０により、力率が０．８６６の遅れ力率のときの各電圧の位相および各電流の位相の関係が提示される。
【００９４】
すなわち、図６に示すように、３相３線式の場合は、電流Ｉ１の電流ベクトル図形は、第２の目盛７の「−６０°」の目盛を指し示す。これは、電流Ｉ１の位相が、電圧Ｅ１２に対して、６０°遅れていることを示す。また、電流ベクトル図形４１と、電圧Ｅ３２の電圧ベクトル図形５２と、第２の目盛７とを見ると、電流Ｉ１の位相が、電圧Ｅ３２に対して、１２０°遅れていることが判る。
【００９５】
また、電流Ｉ３の電流ベクトル図形は、第２の目盛７の「６０°」の目盛を指し示す。これは、電流Ｉ３の位相が、電圧Ｅ１２に対して、６０°進んでいることを示す。また、電流ベクトル図形４２と、電圧Ｅ３２の電圧ベクトル図形５２とを見ると、それらは互いに重なっているので、電流Ｉ３の位相が、電圧Ｅ３２に対して、同位相であることが判る。
【００９６】
また、単相３線式の場合は、電流Ｉ１の電流ベクトル図形は、第２の目盛８の「−３０°」の目盛を指し示す。これは、電流Ｉ１の位相が、電圧Ｅ１Ｎに対して、３０°遅れていることを示す。また、この電流Ｉ１の位相と電圧Ｅ１Ｎとの関係は、単相２線式の場合の電流の位相と電圧の位相との関係でもあり、このため、単相２線式の場合の電流の位相と電圧の位相との関係を知りたいときは、前記電流ベクトル図形４３、電圧ベクトル図形５３および第２の目盛８を代用することができる。
【００９７】
また、電流Ｉ２の電流ベクトル図形４４と、電圧Ｅ２Ｎの電圧ベクトル図形５４とを見ると（第１の目盛６を代用する）、電流Ｉ２の位相が、電圧Ｅ２Ｎに対して、３０°遅れていることが判る。
【００９８】
以上説明したように、このスケール１０によれば、３相３線式の配電部における力率に応じた電圧Ｅ１２の位相（位相角）、電圧Ｅ３２の位相、電流Ｉ１の位相および電流Ｉ３の位相の関係と、単相３線式の配電部における力率に応じた電圧Ｅ１Ｎの位相、電圧Ｅ２Ｎの位相、電流Ｉ１の位相および電流Ｉ２の位相の関係とを、それぞれ、一目瞭然で、確実に把握することができる。なお、単相２線式の配電部における力率に応じた電圧の位相と電流の位相との関係を知りたい場合は、前記単相３線式の一側、すなわち、電流ベクトル図形４３、電圧ベクトル図形５３および第２の目盛８を代用することができる。
【００９９】
また、このスケール１０では、計算等を行う必要がなく、第１のディスク１および第２のディスク２を相対的に回転させて指標９を第１の目盛６の所定の力率を示す目盛に一致させる操作を行うだけで、力率に応じた前記各位相の関係を提示することができるので、操作が容易であり、迅速かつ確実に、前記各位相の関係を提示できる。
【０１００】
また、スケール１０は、第１のディスク１および第２のディスク２を相対的に回転可能に設けてなるものであり、その構成も簡易である。
【０１０１】
ここで、本考案では、第１の目盛６、第２の目盛７および８は、それぞれ、第１の目盛６と、第２の目盛７および８とが、互いに重ならないように設けられていてもよい。これによれば、常に、第１の目盛６、第２の目盛７および８のすべてを視認することができる。
【０１０２】
以上、本考案のスケールを、図示の実施形態に基づいて説明したが、本考案はこれに限定されるものではなく、各部の構成は、同様の機能を有する任意の構成のものに置換することができる。また、本考案に、他の任意の構成物が付加されていてもよい。
【０１０３】
また、前記実施形態では、各相線式における位相角を示す第２の目盛として、相線式毎に専用の第２の目盛が設けられている（第２の目盛が相線式別に２重に構成されている）が、本考案では、これに限定されず、例えば、各相線式における位相角を示す第２の目盛を単一の第２の目盛で兼用するように構成してもよい。なお、図１および図３に示す第２の目盛７が、３相３線式における位相角を示す第２の目盛および単相３線式における位相角を示す第２の目盛を兼用する場合は、電圧Ｅ１２を示す電圧ベクトル図形５１と、電圧Ｅ１Ｎを示す電圧ベクトル図形５３とが重なる。
【０１０４】
また、前記実施形態では、複数の相線式における位相関係を示すように構成されているが、本考案では、これに限定されず、例えば、１つの相線式における各位相の関係（位相関係）を示すように構成されていてもよい。
【０１０５】
また、本考案では、さらに、例えば、３相４線式等の他の相線式における各位相の関係を示すように構成されていてもよい。
【符号の説明】
【０１０６】
１            第１のディスク
２            第２のディスク
３            ピン
４１〜４４    電流ベクトル図形
５１〜５４    電圧ベクトル図形
５５          線分
６            第１の目盛
７、８        第２の目盛
９            指標
１０          スケール
１１、１２    目盛形成領域
１３          重なった部位
【図１】
0003156901.tif 000003
【図２】
0003156901.tif 000004
【図３】
0003156901.tif 000005
【図４】
0003156901.tif 000006
【図５】
0003156901.tif 000007
【図６】
0003156901.tif 000008